(57)【要約】【課題】腐食防止のための塗装を行っても滑り止め機能が低減することなく、既存の鉄塔や電柱に適用可能なステップボルトの滑り止め構造を提供する。【解決手段】鉄塔又は電柱に取り付けられるステップボルト２０の滑り防止構造１０は、ステップボルト２０の周囲に螺旋状に巻き付けられたスパイラル１１と、前記スパイラル１１の両端をステップボルト２０に固定する固定リング１２と、を備える。【選択図】  図１
2011001753.tif 000002
【特許請求の範囲】
【請求項１】
鉄塔又は電柱に取り付けられるステップボルトの滑り防止構造であって、
前記ステップボルトの周囲に螺旋状に巻き付けられた螺旋状部材と、
前記螺旋状部材の両端を前記ステップボルトに固定する固定部材と、を備えることを特徴とするステップボルトの滑り防止構造。
【請求項２】
鉄塔又は電柱に取り付けられるステップボルトの滑り防止方法であって、
前記ステップボルトの周囲に螺旋状部材を巻き付け、
前記螺旋状部材の両端を前記ステップボルトに固定部材により固定することを特徴とするステップボルトの滑り防止方法。
【発明の詳細な説明】
【技術分野】
【０００１】
本発明は、鉄塔や電柱に昇降のために取り付けられたステップボルトの滑り防止構造及び方法に関する。
【背景技術】
【０００２】
鉄塔や電柱には、補修作業の際に作業員が昇降するためのステップボルトが取り付けられている。従来、このようなステップボルトには、滑り止めを目的として表面に約１ｍｍに満たない切り込みを形成していた。しかしながら、このようなステップボルトに対して腐食防止のための塗装を行うと、切り込みが塗料で埋まってしまい、滑り止め機能が低下してしまうという問題があった。
【０００３】
このような滑り止め機能を持たせたステップボルトとして、例えば、特許文献１には、所望の形状の突伏部を多数形成したステップボルトが記載されている。かかるステップボルトを用いることで、腐食防止のための塗装などを行っても滑り止め機能が低下してしまうことを防止できる。
【先行技術文献】
【特許文献】
【０００４】
【特許文献１】特開平１０―２４３５３６号公報
【発明の概要】
【発明が解決しようとする課題】
【０００５】
しかしながら、特許文献１記載のステップボルトを既存の鉄塔や電柱に適用するためには、全てのステップボルトを交換する必要があり、手間とコストがかかる。
本発明は、上記の問題に鑑みなされたものであり、その目的は、腐食防止のための塗装を行っても滑り止め機能が低減することなく、既存の鉄塔や電柱に適用可能なステップボルトの滑り止め構造を提供することである。
【課題を解決するための手段】
【０００６】
本発明のステップボルトの滑り防止構造は、鉄塔又は電柱に取り付けられるステップボルトの滑り防止構造であって、前記ステップボルトの周囲に螺旋状に巻き付けられた螺旋状部材と、前記螺旋状部材の両端を前記ステップボルトに固定する固定部材と、を備えることを特徴とする。
【０００７】
また、本発明のステップボルトの滑り防止方法は、鉄塔又は電柱に取り付けられるステップボルトの滑り防止方法であって、前記ステップボルトの周囲に螺旋状部材を巻き付け、  前記螺旋状部材の両端を前記ステップボルトに固定部材により固定することを特徴とする。
【発明の効果】
【０００８】
本発明によれば、ステップボルトの周囲に巻き付けられた螺旋状部材が固定部材により固定されることで、ステップボルトのグリップを確保できるため、腐食防止のための塗装を施したステップボルトであっても表面に滑り止め機能を持たせることができる。また、ステップボルトの周囲に螺旋状部材を巻きつけ、固定部材により固定する構成であるため、既存の鉄塔や電柱に取り付けられたステップボルトにも適用できる。
【図面の簡単な説明】
【０００９】
【図１】ステップボルトの滑り止め構造を示す図である。
【図２】固定リングを示す図であり、（Ａ）は開いた状態、（Ｂ）は閉じた状態を示す。
【発明を実施するための形態】
【００１０】
以下、本発明のステップボルトの滑り防止構造の一実施形態を図面を参照しながら詳細に説明する。
図１は、本実施形態のステップボルト２０の滑り止め構造１０を示す図である。ステップボルト２０は、一端に頭部２１を備え、他端の端部近傍に螺条部２２を備えた棒状の鋼材からなる。ステップボルト２０は、鉄塔を構成するアングル材１に形成されたボルト孔１Ａに螺条部２２が挿入された状態で、螺条部２２に螺合する一対のナット２３，２４でアングル材１を挟みこむことで、アングル材１に固定されている。
【００１１】
図１に示すように、本実施形態の滑り止め構造１０は、ステップボルト２０の外周に巻き付けられたスパイラル１１と、スパイラル１１の両端を固定する固定リング１２とにより構成される。スパイラル１１は、例えば、アルミやアルミを含有する金属などの耐食性を有する材料からなり、間隔が２ｃｍ程度の螺旋状に形成され、表面に耐食加工が施されている。
【００１２】
図２は、固定リング１２を示す図であり、（Ａ）は開いた状態、（Ｂ）は閉じた状態を示す。同図に示すように、固定リング１２は、一対の円弧状部材１３、１４が回動可能に接続されてなる。これら円弧状部材１３、１４としては、耐久性・耐食性を有するプラスチック製のものを用いることができる。一対の円弧状部材１３、１４の互いに接続された側と逆側の端部には、夫々、雌雄の爪部１５、１６が形成されており、雄爪部１６を雌爪部１５に嵌め込むことで、円弧状部材１３、１４を円環状に接続することができる。
【００１３】
また、一方の円弧状部材１４の側面には切り欠き部１４Ａが形成されている。固定リング１２は、切欠き部１４Ａにスパイラル１１を収容した状態で、雌雄の爪部１５、１６を嵌め込み、周囲から圧力を加えられることで、スパイラル１１の端部を挟みこんだ状態で強固にステップボルト２０に固定されている。スパイラル１１は、その両端が固定リング１２により固定されることで、ステップボルト２０に巻き付けられた状態で保持される。このようにステップボルト２０にスパイラル１１が巻き付けられることで、表面のグリップを確保することができ、ステップボルト２０に滑り防止機能を持たせることができる。
【００１４】
以下、ステップボルト２０に腐食防止のための塗装を施すとともに滑り止め構造１０を取り付ける方法について説明する。
まず、滑り止め構造１０を取り付けるにあたり、ステップボルト２０の表面に耐食加工を施す。
次に、スパイラル１１をステップボルト２０に巻き付ける。なお、スパイラル１１の巻き付け作業は、ペンチなどを用いて行うことができる。
【００１５】
次に、ステップボルト２０のスパイラル１１の両端部に相当する位置に、固定リング１２を一対の円弧状部材１３、１４を開いた状態でスパイラル１１の端部が切欠き部１４Ａ内に収容されるように配置し、一対の円弧状部材１３、１４を回動させて雄爪部１６を雌爪部１５に嵌め込む。さらに、例えば、ペンチでかしめて固定リング１２に外周側から圧力を加える。これにより、固定リング１２はステップボルト２０に強固に固定されるとともに、スパイラル１１の端部を強固に保持することとなる。
以上の工程によりステップボルト２０に滑り止め構造１０を固定することができる。
【００１６】
本実施形態によれば、ステップボルト２０の周囲にスパイラル１１を巻き付け、このスパイラル１１を固定リング１２により固定することで、スパイラル１１により表面のグリップが確保されるため、腐食防止のための塗装を施したステップボルト２０であっても、ステップボルト２０に滑り防止機能を持たせることができる。
【００１７】
また、既存の鉄塔や電柱に設けられたステップボルト２０にも取り付けることができ、ステップボルト２０を耐食性及び滑り防止機能を備えたものに取り替えなくても、ステップボルト２０に耐食性及び滑り防止機能を持たせることができ、コストを削減できる。また、滑り止め構造１０の設置作業がステップボルト２０を取り替えるのに比べて簡易であるため、施工性を向上できる。
【００１８】
なお、本実施形態では、固定リング１２によりスパイラル１１の端部をステップボルト２０に固定する構成としたが、これに限らず、スパイラル１１の端部を強固にステップボルト２０に固定できればその構成は問わない。
【符号の説明】
【００１９】
１  アングル材                          １０  滑り防止構造
１１  スパイラル                        １２  固定リング
１３、１４  円弧状部材                  １４Ａ  切欠き部
１５  雌爪部                            １６  雄爪部
２０  ステップボルト                    ２１  頭部
２２  螺条部                            ２３、２４  ナット
【図１】
2011001753.tif 000003
【図２】
2011001753.tif 000004